(57)【特許請求の範囲】
【請求項１】
道路灯支柱の先端部に照明器具を取り付けるための照明器具取付構造であって、
取り付け用アダプタと、この取り付け用アダプタを照明器具本体に固定するための固定部材と、を備えており、
前記取り付け用アダプタは、
前記道路灯支柱を挿入させる挿入孔と、
前記挿入孔の第１中心軸と直交する第２中心軸を有する円筒状本体部と、を備え、
前記照明器具本体の内部に前記円筒状本体部の円筒表面が嵌合する円筒凹面を有するアダプタ支持部を設けると共に、前記第２中心軸周りに前記円筒状本体部を回転調整可能に構成し、前記固定部材により、前記回転調整後の前記取り付け用アダプタを前記照明器具本体に固定可能に構成したことを特徴とする照明器具取付構造。
【請求項２】
前記固定部材は、バンド状に形成され、バンド表面を前記円筒状本体部に締め付ける形態で前記照明器具本体に固定可能に構成したことを特徴とする請求項１に記載の照明器具取付構造。
【請求項３】
前記円筒状本体部の外表面に回転調整位置を示す指標が一体形成されていることを特徴とする請求項１又は２に記載の照明器具取付構造。
【請求項４】
前記円筒状本体部を前記照明器具本体に固定するための第１ネジ孔と第２ネジ孔が形成され、前記第１ネジ孔は、ポール型の支柱の場合に用いられ、前記第２ネジ孔は、アーム型の支柱の場合に用いられることを特徴とする請求項１〜３のいずれか１項に記載の照明器具取付構造。
【請求項５】
前記挿入孔の内壁面に前記道路灯支柱の前記先端部を押し付けるための突起を形成し、
前記取り付け用アダプタの前記突起と対向する側にネジ孔を設け、このネジ孔にネジを螺合して、ネジ先端を前記先端部に圧接可能に構成したことを特徴とする請求項１〜４のいずれか１項に記載の照明器具取付構造。
【発明の詳細な説明】
【技術分野】
【０００１】
本発明は、道路灯支柱の先端部に照明器具を取り付けるための照明器具取付構造に関するものである。
【背景技術】
【０００２】
かかる照明器具取付構造として、下記特許文献１に開示される支柱取付具がある。この支柱取付具は、器具本体に設けられて、支柱先端に器具本体を支持するものである。この支柱取付具は、アーム型とポール型の両方の支柱に共用できるような構造を有している。
【０００３】
一方、道路灯支柱に取り付けられる照明器具は、道路を照明するときの照明範囲を調整するために、照明器具の道路灯支柱に対する取り付け角度を適切に設定する必要がある。下記特許文献１においては、照明器具の調整に関しては開示されていない。また、照明器具の取り付け角度に合わせて、種々の支柱取付具を用意しておくことは、管理すべき部品の種類が増えて煩雑になる。
【０００４】
そこで、下記特許文献２においては、道路灯支柱の先端部に照明器具を取り付けるための街灯継手に内歯リングを設け、照明器具本体側に形成された外歯リングを設けている。これら内歯リングと外歯リングを噛み合わせて、両者を相対回転可能にすることで、角度調整を行うようにしている。
【先行技術文献】
【特許文献】
【０００５】
【特許文献１】特開２０１４−６７５８６号公報
【特許文献２】特許５５４７８５０号
【発明の概要】
【発明が解決しようとする課題】
【０００６】
しかしながら、歯車を形成して調整する機構は、部材の一部に歯を形成させる必要があるため、部品構成も複雑になり、組み立て時も歯を噛み合わせる必要があるため煩雑である。
【０００７】
本発明は上記実情に鑑みてなされたものであり、その課題は、照明器具の角度を調整するに際して、その調整機構を簡素化した照明器具取付構造を提供することである。
【課題を解決するための手段】
【０００８】
上記課題を解決するため本発明に係る
道路灯支柱の先端部に照明器具を取り付けるための照明器具取付構造であって、
取り付け用アダプタと、この取り付け用アダプタを照明器具本体に固定するための固定部材と、を備えており、
前記取り付け用アダプタは、
前記道路灯支柱を挿入させる挿入孔と、
前記挿入孔の第１中心軸と直交する第２中心軸を有する円筒状本体部と、を備え、
前記照明器具本体に前記円筒状本体部の円筒表面が嵌合する円筒凹面を有するアダプタ支持部を設けると共に、前記第２中心軸周りに前記円筒状本体部を回転調整可能に構成し、
前記固定部材により、前記回転調整後の前記取り付け用アダプタを前記照明器具本体に固定可能に構成したことを特徴とするものである。
【０００９】
かかる構成による照明器具取付構造の作用・効果を説明する。道路灯支柱の先端部に照明器具を取り付けるために取り付け用アダプタを使用する。この取り付け用アダプタは、道路灯支柱の先端部を挿入させる挿入孔を有し、このアダプタが照明器具本体のアダプタ支持部に取り付けられる。取り付け用アダプタは、挿入孔とその軸が直交する円筒状本体部を有しており、この円筒状本体部をアダプタ支持部に取り付けるときに、取り付け角度を調整することができる。すなわち、円筒状本体部の円筒表面をアダプタ支持部の円筒凹面に嵌合させ、円筒状本体部を第２中心軸まわりに回転させながら調整可能である。適切な角度を設定した後、照明器具本体に固定部材により固定する。円筒表面同士の嵌合であるから、部材構成も簡素にすることができ、調整作業も簡単である。したがって、照明器具の角度を調整するに際して、その調整機構を簡素化した照明器具取付構造を提供することができる。
【００１０】
本発明に係る前記固定部材は、バンド状に形成され、バンド表面を前記円筒状本体部に締め付ける形態で前記照明器具本体に固定可能に構成したことが好ましい。
【００１１】
固定部材をバンド状に形成することで、例えば、金属板で形成するなど、部材構成を簡素化することができる。また、バンド表面を円筒状本体部の表面に締め付けることで、調整後の固定も簡単かつ確実に行うことができる。
【００１２】
本発明において、前記円筒状本体部の外表面に回転調整位置を示す指標が一体形成されていることが好ましい。
【００１３】
指標を一体形成することで、指標を設けるための部材を別途設ける必要がなくなる。また、円筒状本体部の外表面に形成することで、指標を見ながら確実に調整を行うことができる。
【００１４】
本発明において、照明器具本体にネジ孔を設け、このネジ孔にネジを螺合して、ネジ先端を前記円筒状本体部の表面に圧接可能に構成したことが好ましい。
【００１５】
円筒状本体部は、固定部材により照明器具本体に固定されるが、さらにネジ先端を円筒状本体部に圧接させることで、さらに確実に取り付け用アダプタを照明器具本体に固定することができる。
【００１６】
本発明において、前記挿入孔の内壁面に前記道路灯支柱の前記先端部を押し付けるための突起を形成し、
前記取り付け用アダプタの前記突起と対向する側にネジ孔を設け、このネジ孔にネジを螺合して、ネジ先端を前記先端部に圧接可能に構成したことが好ましい。
【００１７】
かかる構成によれば、道路灯支柱の先端部は、２か所の押し付け用の突起と、ネジの先端により挿入孔に固定される。特に、道路灯支柱は、外径の異なるものが存在するが、上記構成によれば、同じ取り付け用アダプタを用いて、異なる外径の道路灯支柱を固定することができる。すなわち、径の違いは、ネジの挿入長さにより吸収することができる。
【図面の簡単な説明】
【００１８】
【図１】道路灯を示す外観図であり、（ａ）はポール型（ｂ）はアーム型の道路灯を示す図
【図２】アダプタの構成を示す図であり、（ａ）は外観斜視図、（ｂ）は上面図、（ｃ）は下面図、（ｄ）は中央縦断面図（ｅ）はネジ孔の位置を示す断面図
【図３Ａ】照明器具本体の構成を示す図であり、（ａ）は上面図（ｂ）は下面図
【図３Ｂ】照明器具本体の構成を示す図であり、（ｃ）は中央縦断面図（ｄ）は（ｃ）とは異なる位置の部分断面図
【図４】照明器具本体にアダプタを組み立てた状態を示す斜視図
【図５】照明器具本体にアダプタを組み立てる前の分解斜視図
【図６】照明器具本体にアダプタを組み立てた状態を下方向から見た斜視図
【図７】アダプタを照明器具本体に固定した状態を示す断面図
【図８】支柱をアダプタに固定した状態を示す断面図
【図９】アーム型の支柱に照明器具を取り付ける場合の、アダプタの組み込み状態を示す図
【発明を実施するための形態】
【００１９】
本発明に係る道路灯支柱の先端部に照明器具を取り付けるための照明器具取付構造の好適な実施形態を図面を用いて説明する。
【００２０】
＜道路灯＞
図１は道路灯を示す外観図であり、（ａ）はポール型を示し、（ｂ）はアーム型を示す。図１（ａ）において、ポール型の道路灯支柱は、直線状の支柱本体Ａ３と、先端部Ａ１と、ベースＡ２を有する。先端部Ａ１は、支柱本体Ａ３の先端に形成され、外径が支柱本体Ａ３よりも小さくなっている。ベースＡ２は、路面等に支柱本体Ａ３を固定するためのものである。図１（ｂ）において、アーム型の道路灯支柱Ａ（以下、単に支柱という）は、曲線状に折れ曲がった部分を有する。
【００２１】
いずれも先端部Ａ１に照明器具Ｂが取り付けられる。照明器具Ｂは、ＬＥＤによる光源を有し、暗くなると自動的に点灯し、路面を照射する。道路の幅の違い等に対応するために、照明器具Ｂは、矢印Ｃに示すように適切な角度に設定する必要がある。そのため、照明器具Ｂを支柱Ａに取り付ける際に、適切な角度に調整して取り付ける。
【００２２】
＜取り付け用アダプタ＞
次に取り付け用アダプタ（以下、単にアダプタという）について説明する。アダプタは、照明器具Ｂを支柱Ａの先端部Ａ１に取り付けるために設けられている。図２は、アダプタの構成を示す図であり、（ａ）は外観斜視図、（ｂ）は上面図、（ｃ）は下面図、（ｄ）は中央縦断面図（ｅ）はネジ孔を示す断面図を示す。
【００２３】
アダプタ１は、支柱Ａの先端部Ａ１を挿入させる挿入孔１０と、円筒状本体部１１を有している。アダプタ１は、例えば、アルミダイキャストにより形成されるが、素材や製法については、特定のものに限定されるものではない。挿入孔１０の第１中心軸Ｘと、円筒状本体部１１の第２中心軸Ｙとは、直交し、かつ交差する。円筒状本体部は、外表面に円筒面１１ａを有する。
【００２４】
図２（ａ）（ｄ）に示すように、挿入孔１０を形成するために、第１円筒部１２と第２円筒部１３が形成されている。第１円筒部１２の内部に挿入孔１０が形成される。第１円筒部１２は、円筒状本体部１１の下側に位置し、第２円筒部１３は上側に位置する。第２円筒部１３の内部に形成される孔の内径は、挿入孔１０の内径よりも小さい。したがって、支柱Ａは第２円筒部１３を通ることはできないようになっており、これにより、支柱Ａの先端部Ａ１の挿入位置を決めることができる。
【００２５】
第１円筒部１２と第２円筒部１３の内壁の境界に４５°のテーパ面１４が形成される。円筒状本体部１１の内部には、第２中心軸Ｙの方向に沿って、軽量化のために扇形の穴１１ｂが多数形成されている。なお、孔の形状は、これに限定されるものではなく、また孔は形成しなくてもよい。すなわち、円筒状本体部１１の具体的な形状は種々の変形例が可能である。
【００２６】
円筒状本体部１１の外表面であって、第２円筒部１３の周囲に、回転調整位置を示す指標１５が一体形成されている。指標１５は第２中心軸Ｙに沿った直線状に形成され、第２円筒部１３の両側に４つずつ形成される。さらに調整範囲を示す０゜と２０゜の文字も形成される。したがって、０゜から２０゜の範囲で５゜間隔での指標が形成されている。なお、指標の具体的な形態は、本実施形態に限定されるものではない。さらに細かい間隔での指標を形成してもよいし、必要に応じて表示する調整範囲を変更してもよい。段階的にではなく、無段階に調整できるようにしてもよい。
【００２７】
円筒状本体部１１には、第１中心軸Ｘに沿って、凹部１１ｃが形成され、この凹部１１ｃに、ネジ孔１６が３か所形成される。このネジ孔１６からネジを挿入することで、後述のように挿入孔１０に挿入された支柱Ａを固定するものである。なお、ネジ孔１６の個数は適宜設定することができる。
【００２８】
図２（ｅ）にも示すように、円筒状本体部１１を照明器具本体に固定するための第１ネジ孔
１７と第２ネジ孔１８が形成される。第１ネジ孔１７も第２ネジ孔１８も、図２（ｃ）に示すように、挿入孔１０の両側に２つずつ設けられる。図２（ｅ）に示すように、第１ネジ孔１７と第２ネジ孔１８の先端は、円筒状本体部１１の中心に向かっており、両者は９０゜の間隔で配置されている。第１ネジ孔１７は、ポール型の支柱の場合に用いられ、ネジ孔１８は、アーム型の支柱の場合に用いられる。従って、アダプタ１は、ポール型とアーム型の両方に使用できる。
【００２９】
図３Ａ，３Ｂは、照明器具本体２の構成を示す図である。（ａ）は上面図、（ｂ）は下面図、（ｃ）は中央縦断面図、（ｄ）は（ｃ）とは異なる位置の部分断面図である。照明器具本体２は、光源としてのＬＥＤが搭載されるものであり、ＬＥＤ基板、電源基板等が組み込まれる。開口部２０には、透明カバーが設けられ、ＬＥＤ光が路面に向けて照射される。照明器具本体２は、アルミダイキャスト等により成型されるが、素材や製法はこれに限定されるものではない。
【００３０】
照明器具本体２には、アダプタ１を取り付けるためのアダプタ支持部２１が設けられる。アダプタ支持部２１には、２か所、円筒凹面２１ａが形成される。この円筒凹面２１ａの上にアダプタ１の円筒状本体部１１が置かれる。円筒面同士の嵌合になるので、この円筒面に沿って回転することができ、その範囲でアダプタ１の位置を調整することができる。
【００３１】
２つの円筒凹面２１ａの間に孔２２が形成される。孔２２は、長穴状であり、片側は半円形状になっている。この孔２２にアダプタ１の第１円筒部１２が挿入される。また、孔２２の両側にネジ止め用の長孔２３が形成される。この長孔２３は、アダプタ１を照明器具本体２にネジ４０で固定するために設けられる（図７参照）。
【００３２】
円筒凹面２１ａに連続して、第１バンド取付面２４，第２バンド取付面２５が形成されている。第１バンド取付面２４は、第２バンド取付面２５よりも低い位置にある。それぞれの第１・第２バンド取付面２４，２５には、ネジ孔２４ａ，２５ａが形成されている。
【００３３】
図４は、照明器具本体２にアダプタ１を組み立てた状態を示す斜視図である。図５は、組み立てる前の分解斜視図を示す。図６は、組み立てた状態を下方向から見た斜視図である。照明器具本体２の上にはカバー部材２６が取り付けられる。
【００３４】
アダプタ１の円筒状本体部１１を照明器具本体２の円筒凹面２１ａの上に嵌合させる。円筒面同士を嵌合させているので、アダプタ１は、第２中心軸Ｙの周りに回転することができる。そして、指標１５をバンド３の表面に刻印された指標に合わせることで、回転位置を調整する。
【００３５】
バンド３は、アダプタ１を照明器具本体２に固定するための固定部材である。バンド３は、円弧部３０と、第１取付部３１，第２取付部３２を有しており、金属板により形成される。バンド３は、例えば、鉄板表面にメッキ処理が施されるが、素材や製法はこれに限定されるものではない。
【００３６】
アダプタ１の調整が終わった後は、バンド３により、アダプタ１を照明器具本体２に固定する。固定は、バンド３の第１・第２取付部３１，３２をそれぞれ、照明器具本体２の第１・第２バンド取付面２４，２５の上に置き、ネジ４１，４２により固定する。このとき、バンド３の円弧部３０がアダプタ１の円筒状本体部１１の外表面を締め付けるように（バンド３にテンションがかかるように）固定される。したがって、２つのバンド３により、アダプタ１は強固に固定される。
【００３７】
また、図７の断面図で示すように、ネジ４０がネジ孔１７に螺合されることで、さらに確実にアダプタ１が照明器具本体２に固定され、これにより、調整された状態でアダプタ１が照明器具本体２に固定される。
【００３８】
図８は、支柱Ａをアダプタ１に固定した状態を示す断面図である。第１円筒部１２の内壁面には２つの突起１２ａが一体形成されている。突起１２ａの間隔は４９゜であるが、この角度は適宜変更することができる。支柱Ａの先端部Ａ１を挿入孔１０に挿入して、先端部Ａ１を突起１２ａに押し付ける。この状態でネジ孔１６にネジ４３を螺合させて、ネジ４３の先端部を支柱Ａの外表面に圧接させる。これにより、支柱Ａの先端部Ａ１にアダプタ１が固定される。
【００３９】
なお、このアダプタ１は、外径の異なる支柱Ａにも対応することができ、想像線は外径の大きな支柱Ａの先端部Ａ１’を取り付けた場合を示す。この場合は、ネジ４３の挿入長さが変わるだけである。以上のように、同じアダプタ１を用いて、外径の異なる支柱Ａに対応することができる。
【００４０】
図９は、アーム型の支柱Ａに照明器具を取り付ける場合の、アダプタ１の組み込み状態を示す。照明器具本体２もアダプタ１もポール型と同じ部品を使用することができる。アダプタ１の取り付け角度は、アーム型とポール型で約９０゜異なるが、照明器具本体２に形成された孔２２は、どちらの型にも対応できるような長孔に形成されている。また、アダプタ１を照明器具本体２に固定するときは、アーム型用のネジ孔１８（図２（ｅ）参照）を用いればよい。したがって、アーム型とポール型の両方に対応できる照明器具本体２とアダプタ１を提供できコストや部品管理の面で優れている。
【００４１】
＜別実施形態＞
本実施形態では、調整後にバンド３とネジの両方でアダプタ１を照明器具本体２に固定しているが、バンド３のみで固定してもよい。
【符号の説明】
【００４２】
Ａ        支柱
Ａ１      先端部
Ｘ        第１中心軸
Ｙ        第２中心軸
１        取り付け用アダプタ
１０      挿入孔
１１      円筒状本体部
１２      第１円筒部
１２ａ    突起
１３      第２円筒部
１５      指標
１６      ネジ孔
２        照明器具本体
２１      アダプタ支持部
２１ａ    円筒凹面
２２      孔
２３      長孔
２４      バンド取付面
２５      バンド取付面
３        バンド
３０      円弧部
３１      取付部
３２      取付部
４        ネジ
【図１】
0006725315.tif 000002
【図２】
0006725315.tif 000003
【図３Ａ】
0006725315.tif 000004
【図３Ｂ】
0006725315.tif 000005
【図４】
0006725315.tif 000006
【図５】
0006725315.tif 000007
【図６】
0006725315.tif 000008
【図７】
0006725315.tif 000009
【図８】
0006725315.tif 000010
【図９】
0006725315.tif 000011